(57)【特許請求の範囲】
【請求項１】
内径側に備えられた第１のめねじを有する固定筒と、
前記第１のめねじと螺合する外径側に備えられた第１のおねじと、内径側に備えられた第２のめねじとを有し、光軸方向に移動可能に前記固定筒の内側に備えられた移動筒と、
前記第２のめねじと螺合する外径側に備えられた第２のおねじを有し、光学系を保持して光軸方向に移動可能な枠部材と、
前記固定筒に対して光軸を中心として回転可能に前記固定筒の外側に備えられた回転筒と、
前記回転筒及び前記移動筒に備えられ前記回転筒と前記移動筒との光軸方向の相対移動が可能なように前記回転筒の回転を前記移動筒に伝える連動部とを含み、
前記固定筒は、外径側に第３のおねじを有し、
前記回転筒は、前記第３のおねじと螺合する内径側に備えられた第３のめねじを有し、
前記第３のおねじ及び前記第３のめねじのリードは、前記第１のおねじ、前記１のめねじ、前記第２のおねじ及び第２のめねじのリードよりも小さいことを特徴とするレンズ鏡筒。
【請求項２】
請求項１に記載のレンズ鏡筒において、
前記連動部は、前記回転筒に固定されたキー部材と、前記移動筒に備えられ前記キー部材がすきま嵌合するキー溝とを有すること、を特徴とするレンズ鏡筒。
【請求項３】
請求項２に記載のレンズ鏡筒において、
前記キー部材は、前記回転筒に対して前記枠部材の繰り出し側に設けられていること、を特徴とするレンズ鏡筒。
【発明の詳細な説明】
【０００１】
【発明の属する技術分野】
本発明は、ダブルヘリコイド構造を有するレンズ鏡筒に関するものである。
【０００２】
【従来の技術】
図４は、従来のレンズ鏡筒を示す断面図である。
従来のレンズ鏡筒は、第１レンズ室１０１，第２レンズ室１０２，マウント１０３，固定筒１０４，距離環１０５，移動筒１０６，直進キー１０８，ＣＰＵ１０９等を有している。
【０００３】
第１レンズ室１０１は、レンズＬ１を支持する枠部材であり、第２レンズ室１０２にねじ込まれて固定されている。
第２レンズ室１０２は、レンズＬ２，Ｌ３，Ｌ４を支持する枠部材であり、外径側におねじ１０２ａを有し、更に連動溝１０２ｂを有している。
マウント１０３は、不図示のカメラボディに取り付ける部分であり、固定筒１０４が固定されている。
固定筒１０４は、焦点調節動作によっては移動しないベースとなる固定部材であって、内径側にめねじ１０４ａが設けられている。
距離環１０５は、焦点調節を行うときに撮影者が操作する回転筒であり、移動筒１０６にビス止めによって固定されている。
移動筒１０６は、めねじ１０４ａと螺合するおねじ１０６ａを外径側に有し、おねじ１０２ａと螺合するめねじ１０６ｂを内径側に有している。
直進キー１０８は、固定筒１０４に固定されたキーであり、連動溝１０２ｂとすきま嵌合している。
ＣＰＵ１０９は、レンズの繰り出し量等のレンズ個々のデータを処理すると共に、基板１０９ａ，接点１０９ｂを介してカメラボディと通信を行う演算部である。
【０００４】
従来のレンズ鏡筒において、焦点調節を行うときには、まず撮影者は、距離環１０５を回転させる。距離環１０５のが回転すると、これに連動して移動筒１０６が回転しながら、固定筒１０４とのねじに従って光軸方向に移動する。第１レンズ室１０１及び第２レンズ室１０２は、移動筒１０６の回転と、第２レンズ室１０２の連動溝１０２ｂにすきま嵌合した直進キー１０８との組み合わせに従って、光軸に対して直進する。以上のようにして、被写体に対しての焦点合わせが行える。
【０００５】
図５は、従来のレンズ鏡筒を最短撮影距離に焦点を合わした状態（最も繰り出した状態）を示す図である。ここでラップ部Ａは、レンズ鏡筒の内部が見えないようにするために必要な部分である。
【０００６】
【発明が解決しようとする課題】
レンズ鏡筒としては、携帯性の面から、小型であることが望ましく、最も繰り込んだ無限遠撮影距離状態の全長を短くしたいという要求がある。一方、撮影上の使い勝手の面から、最短撮影距離は、短いことが望ましく、すなわち、繰り出し可能な量は、多くしたいという要求がある。
【０００７】
前述した従来のレンズ鏡筒において、繰り出し量を現状のまま確保しつつ、全長を短くしようとする場合、例えば、移動筒１０６が有するおねじ１０６ａ及びめねじ１０６ｂのリードを大きく（リードを立てる）すれば、ねじ部の長さを短くすることができるが、そのようにしても距離環１０５の移動量は、変化しないので、ラップ部Ａとして必要なラップ量も変化無く、この制約から小型化することが難しいという問題があった。
また、リードを立てると、距離環１０５の回転量に対する繰り出し量が変化し、操作感覚が悪くなるという問題があった。
【０００８】
一方、従来のレンズ鏡筒において、全長を同等としたまま、最短撮影距離を短くするために繰り出し量を多くしようとする場合、リードを立てると、前述の問題が生ずるので、リードをそのままとして、ねじ部分を更に延ばして繰り出せる量を長くすることが考えられる。
図６は、従来のレンズ鏡筒のねじ部を延ばした場合を想定した図である。図６中の斜線で示した領域Ｂを延ばそうとしても、ＣＰＵ１０９と干渉してしまうので、実施することは困難である。また、繰り出し量が長くなると、距離環１０５の移動量も増加するので、ラップ部Ａも長くする必要があるが、ラップ部Ａを延ばしたとしても、図６中の延長部αだけしか確保することができないという問題があった。
したがって、従来のレンズ鏡筒で繰り出し量を多くしようとすると、全長が長くなってしまうという問題があった。
【０００９】
本発明の課題は、スペースを有効に活用することにより、同じ繰り出し量を確保したまま全長を短くしたり、全長を同程度のまま繰り出し量を長くしたりすることができる、自由度の高いレンズ鏡筒を提供することである。
【００１０】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、内径側に備えられた第１のめねじ（４ａ）を有する固定筒（４）と、前記第１のめねじと螺合する外径側に備えられた第１のおねじ（６ａ）と、内径側に備えられた第２のめねじ（６ｂ）とを有し、光軸方向に移動可能に前記固定筒の内側に備えられた移動筒（６）と、前記第２のめねじと螺合する外径側に備えられた第２のおねじ（２ａ）を有し、光学系を保持して光軸方向に移動可能な枠部材（２）と、前記固定筒に対して光軸を中心として回転可能に前記固定筒の外側に備えられた回転筒（５）と、前記回転筒及び前記移動筒に備えられ前記回転筒と前記移動筒との光軸方向の相対移動が可能なように前記回転筒の回転を前記移動筒に伝える連動部（６ｃ、７）とを含み、前記固定筒は、外径側に第３のおねじ（４ｂ）を有し、前記回転筒は、前記第３のおねじと螺合する内径側に備えられた第３のめねじ（５ａ）を有し、前記第３のおねじ（４ｂ）及び前記第３のめねじ（５ａ）のリードは、前記第１のおねじ（６ａ）、前記１のめねじ（４ａ）、前記第２のおねじ（２ａ）及び第２のめねじ（６ｂ）のリードよりも小さいことを特徴とするレンズ鏡筒である。
請求項２の発明は、請求項１に記載のレンズ鏡筒において、前記連動部は、前記回転筒（５）に固定されたキー部材（７）と、前記移動筒（６）に備えられ前記キー部材がすきま嵌合するキー溝（６ｃ）とを有すること、を特徴とするレンズ鏡筒である。
請求項３の発明は、請求項２に記載のレンズ鏡筒において、前記キー部材（７）は、前記回転筒（５）に対して前記枠部材（２）の繰り出し側に設けられていること、を特徴とするレンズ鏡筒である。
【００１５】
【発明の実施の形態】
以下、図面等を参照しながら、本発明の実施の形態について、更に詳しく説明する。
図１は、本発明によるレンズ鏡筒の断面図である。
本実施形態におけるレンズ鏡筒は、撮影レンズの全体を繰り出して焦点調節を行う、いわゆる全体繰り出し型のレンズ鏡筒であり、カメラボディに着脱自在な交換レンズである。
本実施形態におけるレンズ鏡筒は、第１レンズ室１，第２レンズ室２，マウント３，固定筒４，距離環５，移動筒６，連動キー７，直進キー８，ＣＰＵ９等を有している。
【００１６】
第１レンズ室１は、レンズＬ１を支持する枠部材であり、第２レンズ室２にねじ込まれて固定されている。
【００１７】
第２レンズ室２は、レンズＬ２，Ｌ３，Ｌ４を支持する枠部材であり、外径側にヘリコイドねじである第２のおねじ２ａを有し、更に直進溝２ｂを有している。
【００１８】
マウント３は、不図示のカメラボディに取り付ける部分であり、固定筒４が固定されている。
【００１９】
固定筒４は、焦点調節動作によっては移動しないベースとなる固定部材であって、ヘリコイドねじである第１のめねじ４ａを内径側に有し、第３のおねじ４ｂを外径側に有している。
【００２０】
距離環５は、焦点調節を行うときに撮影者が操作する回転筒であり、内径側に設けられた第３のめねじ５ａが第３のおねじ４ｂと螺合して、光軸を中心として回転可能なように固定筒４に設けられている。
【００２１】
移動筒６は、第１のめねじ４ａと螺合する第１のおねじ６ａを外径側に、第２のおねじ２ａと螺合する第２のめねじ６ｂを内径側にそれぞれ有し、更に、連動キー７がすきま嵌合するキー溝である連動溝６ｃを有することにより連動キー７から回転力を得て、回転しながら光軸方向に移動可能な部材である。
【００２２】
連動キー７は、距離環５にビス止めにより固定された金属製の連動部材であり、連動溝６ｃとすきま嵌合することにより連動部を形成し、距離環５と移動筒６とを直接連動させると共に、距離環５と移動筒６との光軸方向の相対移動が可能なように距離環５の回転を移動筒６に伝える。
本実施形態における連動キー７は、距離環５及び移動筒６対してレンズの繰り出し側に設けられており、図１の断面図には、１つ示してあるが、数は、１つでも複数でもよく、設計上の都合に合わせてよい。
【００２３】
直進キー８は、固定筒４に固定されたキーであり、連動溝２ｂとすきま嵌合して第２レンズ室２の移動を直進のみに規制している。
【００２４】
ＣＰＵ９は、レンズの繰り出し量等のレンズ個々のデータを処理すると共に、基板９ａ，接点９ｂを介してカメラボディと通信を行う演算部である。
【００２５】
次に、本実施形態におけるレンズ鏡筒の焦点調節動作について説明する。
距離環５が撮影者によって手動で回転されると、これに連動して連動キー７が距離環５と共に光軸を中心に回転する。このとき、距離環５は、第３のめねじ５ａと第３のおねじ４ｂとの螺合に従い光軸方向に移動する。この移動量は、距離環５の回転量に応じて変化するが、その割合は、第３のめねじ５ａ及び第３のおねじ４ｂのリードに従う。
【００２６】
連動キー７が回転すると、連動キー７がすきま嵌合する連動溝６ｃを有する移動筒６も回転し、固定筒４の第１のめねじ４ａと螺合する第１のおねじ６ａに従い光軸方向に移動する。
ここで、連動キー７は、連動溝６ｃに光軸平行にはめ込まれているだけなので、距離環５の光軸方向への動きは、移動筒６に伝達されることはない。
【００２７】
移動筒６の移動量は、固定筒４の第１のめねじ４ａと螺合する第１のおねじ６ａに従う。よって、距離環５と移動筒６とは、光軸中心の回転量が同量であっても、光軸方向に対する移動量は異なる。ただし、構造上の都合等によって、距離環５と移動筒６との光軸方向に対する移動量を同量にすることも可能であり、また、例えば距離環５と固定筒４との嵌合を、第３のめねじ５ａと第３のおねじ４ｂとによるねじ嵌合とせずに、バヨネット型の溝構造にすることにより、距離環５が光軸方向に移動しないようにすることも可能である。
尚、本実施形態において、距離環５と固定筒４との嵌合を、第３のめねじ５ａと第３のおねじ４ｂとによるねじ嵌合としたのは、嵌合部のガタを生じさせずに、操作感覚を良好にするためである。
【００２８】
第２レンズ室２は、第２のおねじ２ａが第２のめねじ６ｂと螺合すると共に、直進溝２ｂが直進キー８とすきま嵌合しているので、移動筒６が回転すると、光軸方向に直進する。この第２レンズ室２の移動量は、第１のめねじ４ａ及び第１のおねじ６ａのリードによって移動筒６が光軸方向に移動する移動量と、第２のおねじ２ａ及び第２のめねじ６ｂのリードによって第２レンズ室２が移動筒６に対して相対的に移動する移動量との和の分だけ移動する。
【００２９】
図２は、本実施形態におけるレンズ鏡筒を最短撮影距離に焦点を合わした状態（最も繰り出した状態）を示す図である。
本実施形態におけるレンズ鏡筒は、先に示した従来技術によるレンズ鏡筒の最短撮影距離における繰り出し量と同量の繰り出し量を確保しているが、ラップ部ＡＡには、まだ余裕がある。一方、従来技術によるレンズ鏡筒の場合（図５参照）ラップ部Ａには、全く余裕が無く、斜めから見られると、内部が見えてしまうようになっている。
【００３０】
このように、本実施形態におけるレンズ鏡筒は、合焦レンズを移動するためにダブルヘリコイド構造をとりつつも、距離環５の光軸方向に対しての移動量を減じているため、構造上の自由度を増している。これにより、光軸方向への長さを抑制しつつ、合焦レンズの移動量は、従来と同等又はそれ以上にすることができる。
【００３１】
また、本実施形態におけるレンズ鏡筒は、連動キー７を薄いプレス板等によって形成することにより、レンズ鏡筒を光軸方向に対して更に短くすることができる。
図３は、本実施形態及び従来技術におけるレンズ鏡筒を比較して示した図である。本実施形態におけるレンズ鏡筒は、従来技術のものに比べて、図３中δで示した量の小型化を達成している。
【００３２】
本実施形態によれば、従来と同量の繰り出し量を確保しつつ、全長を短くしたレンズ鏡筒を得ることができる。
【００３３】
（変形形態）
以上説明した実施形態に限定されることなく、種々の変形や変更が可能であって、それらも本発明の均等の範囲内である。
（１）本実施形態において、レンズ鏡筒は、手動で距離環６を回して焦点調節を行う例を示したが、これに限らず、例えば、距離環６を回す手段が、手動ではなく、オートフォーカス機構のレンズであってもよい。
【００３４】
（２）本実施形態において、焦点調節が全群繰り出しによって行われる例を示したが、これに限らず、例えば、複数群で構成されるレンズのいくつかのレンズ群を移動させてもよい。
【００３５】
（３）本実施形態において、従来のレンズ鏡筒と同量の繰り出し量を確保しつつ、全長を短くした例を示したが、これに限らず、例えば、従来のレンズ鏡筒と全長を同等として、繰り出し量を長くしてもよいし、これらを適宜組み合わせて、全長を短くすると共に繰り出し量も長くしてもよい。
【００３６】
【発明の効果】
以上詳しく説明したように、請求項１の発明によれば、光軸を中心として回転可能なように固定筒に設けられた回転筒と、回転筒及び移動筒に設けられ、回転筒と移動筒の光軸方向の相対移動が可能なように回転筒の回転を移動筒に伝える連動部とを備えるので、回転筒の光軸方向の移動量を自由に設定することができ、光軸方向の長さが短く、スペース及び可動レンズ群の移動量を十分に確保したレンズ鏡筒とすることができる。
【００３７】
請求項１の発明によれば、固定筒は、外径側に第３のおねじを有し、回転筒は、第３のおねじと螺合する第３のめねじを有するので、回転筒のガタが少なく、操作感覚の良好なレンズ鏡筒とすることができる。
【００３８】
請求項１の発明によれば、第３のおねじ及びめねじが有するリードは、第１及び第２のおねじ及びめねじのリードよりも小さいので、回転筒の光軸方向の移動量を少なくすることができ、スペースを有効に利用することができる。
【００３９】
請求項２の発明によれば、連動部は、回転筒に固定されたキー部材と、移動筒に備えられ、前記キー部材がすきま嵌合するキー溝とを有するので、レンズ鏡筒を簡単な構成とすることができ、レンズの全長を短くすることが容易となる。
請求項３の発明によれば、連動部のキー部材は、固定筒に対して第２レンズ室の繰り出し側に設けられているため、連動部を容易に配置することができる。
【図面の簡単な説明】
【図１】本発明によるレンズ鏡筒の断面図である。
【図２】本実施形態におけるレンズ鏡筒を最短撮影距離に焦点を合わした状態（最も繰り出した状態）を示す図である。
【図３】本実施形態及び従来技術におけるレンズ鏡筒を比較して示した図である。
【図４】従来のレンズ鏡筒を示す断面図である。
【図５】従来のレンズ鏡筒を最短撮影距離に焦点を合わした状態（最も繰り出した状態）を示す図である。
【図６】従来のレンズ鏡筒のねじ部を延ばした場合を想定した図である。
【符号の説明】
１  第１レンズ室
２  第２レンズ室
３  マウント３
４  固定筒
５  距離環
６  移動筒
７  連動キー
８  直進キー
９  ＣＰＵ
【図１】
0004627600.tif 000002
【図２】
0004627600.tif 000003
【図３】
0004627600.tif 000004
【図４】
0004627600.tif 000005
【図５】
0004627600.tif 000006
【図６】
0004627600.tif 000007